(57)【要約】      （修正有）【課題】介護対象者に自己の介護プログラムを「自分で作成させる」ことにより生活への意欲を高め、暮らしの中に楽しみを持てる自立介護支援システムを提供する。【解決手段】介護対象者が自分で選択して当日のプログラムを作成できるようにしたシステムであって、コンピュータには自立介護支援プログラム画面１０を備え、介護対象者が各自携帯する身分証のバーコードから読み取る利用者番号および氏名等の利用者情報を表示する利用者欄１１と、操業開始時間から操業終了時間までの利用可能時間を単位時間毎のマス目によって複数に区切られた本日の利用スケジュール表示欄１２と、利用時間毎に利用できる複数のプログラムを表示可能なプログラム表示欄１３を備え、利用可能時間マス目をタッチし、利用可能なプログラムの選択を繰り返してその日の介護スケジュールを自ら作成し、介護サービスがうけられる。【選択図】図３
2015153215.tif 000002
【特許請求の範囲】
【請求項１】
複数の入館受付コンピュータ及び複数の退館専用機の双方を備え、入館受付コンピュータは介護対象者による介護支援プログラムの作成を行う受付処理業務を行い、退館専用機は、退館受付により家族連絡シートの作成を行う退館処理業務を行い、他方、各介護プログラムの利用窓口に入退室を管理するコンピュータを備え、プログラムの利用状況を管理する利用窓口業務を行い、サーバーと事務所情報管理機を備え、全体管理業務を行うとともに日報・月報を作成するサーバー室とを備え、各業務のコンピュータがハブを介して接続されるとともに、上記受付業務はバーコードリーダRとそれに接続するコンピュータ１とで行われ、該コンピュータ１には自立介護支援プログラム画面１０を備え、該画面には介護対象者が各自携帯する身分証２のバーコード２１から読み取る利用者番号２２および氏名２３等の利用者情報を表示する利用者欄１１と、施設操業開始時間から施設操業終了時間までの利用可能時間を単位時間毎の利用可能時間マス目によって複数に区切られた本日の利用スケジュール表示欄１２と、該利用スケジュール表示欄の利用時間毎に利用できる複数のプログラムを表示可能なプログラム表示欄１３を備え、上記スケジュール表示欄１２の複数の利用可能時間のマス目のいずれかをタッチすることによりその利用時間内で利用できる複数のプログラムの全てを表示するプログラム表示欄１３に表示し、該プログラム表示欄１３の複数のプログラムのいずれかをタッチして選択するとそのプログラムの所要時間に相当するプログラムを利用時間マス目に表示するとともに、各プログラムの利用窓口のコンピュータに利用予定時間を伝達するシステムを備えることを特徴とする介護対象者の自立介護支援システム。
【請求項２】
各プログラムの利用窓口業務におけるコンピュータが、バーコードリーダーＲを備え、身分証のバーコードを読み取り、介護対象者の各プログラムでの入退室を管理するとともにサーバー室のサーバーに管理データを伝送するとともに、退館専用機に記録を伝送し、退館時に本日スケジュールの達成成績を家族連絡シートに打ち出す請求項１記載の自立介護支援システム。
【請求項３】
サーバー室で各プログラムのコンピュータから伝送される介護対象者のデータを蓄積し、日報・月報を打ち出し可能である請求項１記載の自立介護支援システム。
【請求項４】
介護施設が船構造をなし、各プログラムのサービス室にプログラムに合った各国名を付し、世界船旅を模したことを特徴とする請求項１記載の自立支援システム。
【発明の詳細な説明】
【技術分野】
【０００１】
本発明は、コンピュータの画面上で介護対象者（例えば、介護の必要な高齢者）の自己のケアプランを自分で作成したプログラムを使って行われる介護支援システムに関する。
【背景技術】
【０００２】
介護における手のかかり具合や老化の進行具合に応じて介護対象者を区分するTAI  (Typology of the Aged with Illustrations:イラストを用いた介護対象者区分法)と呼ばれる手法が提案され、このTAIの手法を用いて介護対象者のケアプランを作成する手順が提案されている。このTAIでは、介護対象者について、精神、活動、食事、排泄、医療のそれぞれの項目ごとにレベル判定を行い、そのレベル判定結果に基づいて介護対象者を複数のタイプに分類する作業を行うものである。
【０００３】
しかしながら、この介護支援システムはコンピュータによる介護管理プログラムであり、一般の介護対象者が自分でその操作及び自己の介護支援プログラムを作成するのは困難である。そのため、従来の方法はほとんどが介護管理者又は介護補助者が介護対象者の介護プログラムを作成するものである（特許文献１）。
【先行技術文献】
【特許文献】
【０００４】
【特許文献１】特開平１１−１４９４９９号公報
【発明の開示】
【発明が解決しようとする課題】
【０００５】
しかしながら、介護対象者でも自己の自立プログラムを作成できるようにするのが好ましく、介護対象者自身で介護施設における当日の自立プログラムを作成容易な装置の提供が望まれるが、如何にして介護支援に必要なプログラムを介護対象者に選択させて作成させるかが問題である。そこで、鋭意研究の結果、以下の視点を見出すに至った。すなわち、高齢者の介護の場合、特に日常の動作が自分の力では困難な状態になると、精神的な張りを失い、弱気になりがちで、そのため、できるだけ本人の能力を生かした介護をこころがけるのがよく、「自分でする」という目標を持つことは生活への意欲を高め、たとえ部分的であったとしても、その目標の達成は自信と満足感をもたらすことになる。また、介護が必要となったために、趣味などを我慢したり、あきらめたりする方も少なくない。そのため、生活の不自由さに埋没しているその人らしさを引き出す支援が、要求される。 暮らしの中に楽しみを持つことは、生活への意欲につながる。そこで、介護対象者ができるだけ、自己の介護プログラムを「自分で作成させる」ことにより生活への意欲を高め、暮らしの中に楽しみを持たせる自立介護支援システムが必要である。
【課題を解決するための手段】
【０００６】
そこで、本発明は介護に必要なアイテムとして、生活に必須の生活動作必需アイテムと、生活改善のための医療訓練アイテムだけでなく介護者に対し生活意欲を向上させる娯楽アイテムを含ませ、これらを施設入館後、介護対象者が適正時間に適正なプログラムを自発的に選択できるように用意し、介護対象者が自分で選択して自分の当日のプログラムを作成できるようにし、これに基づいて介護対象者が施設サービスを利用できるようにしたシステムであって、
施設入口に複数の入館受付コンピュータ及び複数の退館専用機の双方を備え、入館受付コンピュータは介護対象者による介護支援プログラムの作成を行う受付処理業務を、退館専用機は、退館受付により家族連絡シートの作成を行う退館処理業務を行い、他方、各介護プログラムの利用窓口には入退室を管理するコンピュータを備え、プログラムの利用状況を管理する利用窓口業務を行うとともに、サーバーと事務所情報管理機を備え、全体管理業務を行うとともに日報・月報を作成するサーバー室とを備え、各業務のコンピュータがハブを介して接続されるとともに、上記受付業務はバーコードリーダーRとそれに接続するコンピュータ１とからなり、該コンピュータ１には自立介護支援プログラム画面１０を備え、該画面には介護対象者が各自携帯する身分証２のバーコード２１から読み取る利用者番号２２および氏名２３等の利用者情報を表示する利用者欄１１と、施設操業開始時間から施設操業終了時間までの利用可能時間を単位時間毎の利用可能時間マス目によって複数に区切られた本日の利用スケジュール表示欄１２と、該利用スケジュール表示欄の利用時間毎に利用できる複数のプログラムを表示可能なプログラム表示欄１３を備え、上記スケジュール表示欄１２の複数の利用可能時間のマス目のいずれかをタッチすることによりその利用時間内で利用できる複数のプログラムの全てを表示するプログラム表示欄１３に表示し、該プログラム表示欄１３の複数のプログラムのいずれかをタッチして選択するとそのプログラムの所要時間に相当するプログラムを利用時間マス目に表示するとともに、各プログラムの利用窓口のコンピュータに利用予定時間を伝達するシステムを備えることを特徴とする介護対象者の自立介護支援システムにある。
【０００７】
本システムでは各プログラムの利用窓口業務におけるコンピュータが、バーコードリーダーＲを備え、身分証のバーコードを読み取り、介護対象者の各プログラムでの入退室を管理するとともにサーバー室のサーバーに管理データを伝送するとともに、退館専用機に記録を伝送し、退館時に本日スケジュールの達成成績を家族連絡シートに打ち出すようにするのが好ましい。
【０００８】
また、本システムではサーバー室で各プログラムのコンピュータから伝送される介護対象者のデータを蓄積し、日報・月報を打ち出し可能であるのが好ましい。
【０００９】
さらに、本システムは介護施設が船構造をなし、各プログラムのサービス室にプログラムに合った船旅各国名を付し、世界船旅を模した施設とするのが好ましい。
【発明の効果】
【００１０】
したがって、本発明のシステムによれば、バーコードリーダーで入館登録し、コンピュータ操作画面の利用スケジュール表示欄の利用予定時間マス目をタッチし、その際プログラム表示欄１３に表示される複数のプログラムの一つを選択して利用予定時間マス目を選択プログラムで表示し、この動作を繰り返すことにより介護対象者の本日の利用予定時間毎の選択プログラムが決定され、本日のスケジュールの作成が完了するので、介護対象者は自分で努力することにより自分で自分の介護支援プログラムを作成できる。そして、それに沿って１日の介護スケジュールを完了することができ、自立介護支援に適するものである。完了したスケジュールは各プログラムの完了・未完の記録とともに退館時に打ち出し持ち帰ることができ、介護対象者の施設での成績を記録するとともに、家族に報告されることになる、自立介護支援システムを提供することができる。
【図面の簡単な説明】
【００１１】
【図１】介護対象者の身分証２とその表示バーコード２１を読み取るバーコードリーダーＲを示す読み取り工程の概要図である。
【図２】コンピュータ１の初期操作画面１０を示す平面図で、右上の、利用者欄１１と、左上の、操業開始時間から操業終了時間までの利用可能時間を単位時間毎の利用予定時間マス目によって複数に区切られた本日の利用スケジュール表示欄１２を示す。
【図３】身分証の表示バーコード読み取り工程後の図２のコンピュータの初期操作画面で、利用者欄１１には利用者番号及び利用者氏名等の利用者情報が表示され、利用スケジュール表示欄１２には施設利用開始時間０９：００から施設利用終了時間１６：００までの利用可能時間を３０分毎の利用予定時間マス目によって複数に区切られることを示す。そして、プログラム表示欄１３には０９：００から利用できる２つのプログラム「ゆっくりする」と「うがい・手洗い」が示されている。
【図４】図３の操作画面でプログラム「うがい・手洗い」を選択したときの状態を示し、スケジュール表示欄の０９：００のマス目には「うがい・手洗い」が表示されている。０９：００のプログラムを変更するときは０９：００のマス目をタッチし、プログラム欄の取消をタッチすることによりこれを取消し、図３の状態に戻すことが可能となっている。
【図５】図４の操作画面状態で０９：３０のスケジュール欄のマス目をタッチしてプログラム表示欄に０９：３０から利用できるプログラムが表示されている。ここでは、エルゴメータを選択した。
【図６】１日のスケジュールが完了した操作画面状態を示し、受付完了マークをタッチすることによりスケジュールを完結する。そして、お帰り切り替えをタッチして退館帰宅タイムを登録する。
【図７】図６において、１１：３０の利用予定時間マス目をタッチして「ごっくん体操」を選択した時の表示画面を示し、「ごっくん体操」の詳細説明が表示されており、それを参考にして「利用する」のタブをタッチすると、１１：３０からのスケジュールに組み込まれ、「やめる」をタッチすると、１１：３０からの他のプログラムが示される。
【図８】図６の受付完了のタブをタッチした時にプリンターから打ち出される本日のスケジュール表を示す。介護対象者は○○○○、日時：平成○○年○○月○○日（○）、０９：００〜０９：３０：うがい・手洗い・バイアル（血圧測定）、０９：３０〜１０：３０：入浴（バリ）、１０：３０〜１１：００：リトミック（音楽療法）、１２：００〜１３：００：食事（イタリア）、１３：００〜１３：３０：ショータイム（シアター）、１３：３０〜１４：００：読書（イギリス）、１５：００〜１６：００：カジノタイム（ニューヨーク）、１６：００〜１６：３０：デイリーレクリエーションとなっているのがわかる。
【図９】その他のスケジュールの例１、例２、例３および例４を示す。
【図１０】介護施設全体の処理ブロック図で、日常業務メニューは受付処理業務と、利用窓口業務と、退館処理業務とからなる。
【図１１】図１０の処理を行うコンピュータ配置図で、サーバー室にはサーバーと、事務所情報管理機とが第一ハブを介して第２ハブと、第３ハブに連結している。第２ハブには４台の入館受付コンピュータと、４台の退所専用のコンピュータとが接続し、入館時に図１に示すリーダーで入館を受け付け、本日のスケジュールが選択決定すると図８に示すスケジュールを打ち出すようになっている。退所時には退所受付を図１に示すリーダーで行うと、図１２に示す家族へのレポートが作成されるようになっている。
【図１２】（A)は各プログラムの利用窓口業務を示し、リーダーで受付終了すると、受付で介護対象者が選択したプログラムが利用時間ごとに表示される画面を示し、間違ってサービスプログラムが選択されている時はチェックをタッチすると未選択状態に戻り、予定時間が過ぎても利用されないプログラムがある場合はオレンジ色で警告されるようになっている。（B）は本日の利用者スケジュール一覧票である。
【図１３】（A)は退所受付時身分証のバーコードをレーダーで読み取った時のコンピュータ画面で、(B)は画面の退館タブをタッチしたときプリンターから打ち出されるご家族連絡シートで、入館後の介護プログラム履歴と各プログラムでの使用アーム、加算アーム、現在の利用可能アームが示され、参加決定イベントがある場合はマスター登録され、準備するもの、集合時間、場所、持物等が注記される。
【図１４】本具体例で採用された船旅を模した施設の１階におけるサービス供与室の配置状態を示す平面図で、カナダ（エルゴメータ）、事務室、銀行、アフリカ（プール）、バリ（入浴室）、南極（静養室）、北欧（相談室）、マリンホール、ハワイ（フット・ハンドケア）、イギリス（読書室）、松阪（日本食堂）が配置されている。
【図１５】本具体例で採用された施設の２階におけるサービス供与室の配置状態を示す平面図で、エレベータで２階に上がると、ホワイエがあり、船尾方向には娯楽室としてカジノルームがあり、それに続いてイタリア館（プログラムスペース）、フランス館（調理訓練室）がある一方、船首方向にはニューヨーク館としてステージを有する劇場が用意されている。
【発明を実施するための形態】
【００１２】
本発明の実施形態を具体例に基づいて説明する。
図１０の受付処理業務、利用窓口業務及び退館処理業務を行う施設のシステム全体が図１１に示され、図１４及び図１５に示す介護施設に配備される。船旅を模した施設は施設の介護に対し船旅の娯楽感覚を与える。介護施設への積極的参加を促すためである。
【００１３】
介護対象者は施設入館後、施設入口で図１に示すように、バーコードリーダーＲにより自己の身分証２のバーコード２１を読み取ると、その日の入館登録が完了し、コンピュータ画面１０の利用者欄１１に介護対象者の番号２２及び氏名２３等が表示されるとともに、操業開始時間から操業終了時間までのマス目で区分された利用スケジュール欄１２が表示された初期操作画面が表示される（図２）。
【００１４】
そこで、図３の操作画面の利用スケジュール表示欄１２の第１利用予定時間マス目操作画面をタッチすると、プログラム表示欄１３にはその時間で利用可能なプログラムのすべてが表示される。
【００１５】
そこで、そのうちのいずれかのプログラムをタッチして選択すると、そのプログラムが第１利用可能時間マス目に入力表示される。ここではうがい・手洗いのプログラムが選択されたので、マス目にはうがい・手洗いのプログラムが表示されている（図４）。
【００１６】
次いで利用スケジュール表示欄１２の第２利用可能時間マス目をタッチすると、０９：００〜の利用可能なプログラムがプログラム表示欄１３に表示される（図５）。
各プログラムはサービス名とサービス提供部屋名と時間及び獲得又は使用アーム数とともに表示されている。なお、図７は、図５の１１：３０の利用予定時間マス目をタッチして「ごっくん体操」を選択した時の表示画面を示し、「ごっくん体操」の詳細説明が表示されている。それを参考にして「利用する」のタブをタッチすると、１１：３０からのスケジュールに組み込まれ、「やめる」をタッチすると、１１：３０からの他のプログラムが示される。
【００１７】
図６は本日のプログラム完成時の０９：００〜１６：３０までのスケジュールを示し、図８に示すように打ち出される。図９はその他のスケジュール表を示す。かかるプログラム登録は図１１の配置に従い、受付第１ハブおよび利用窓口第２ハブを介して各プログラムサービス利用窓口（プール・ジム、料理食堂、リハビリ・風呂、ゲーム他）のコンピュータに伝送されるとともにサーバー第３ハブを介して管理サーバー及び事務所情報管理機に伝送される。
【００１８】
各介護プログラムの利用窓口には入退室を管理するコンピュータを備える。バーコードリーダーで身分証のバーコードを読み取ると、図１２Ａに示すように、利用者の名前と受付で選択された本日スケジュールが表示され、既に利用が終了したサービスにはチェックが入り、状態欄に「済」と表示される。今から利用するサービスを予め用意されたサービス用バーコード一覧から読み取る。読み込んだサービスにチェックが入り、状態欄の「未」が黄色になる。この窓口で複数のサービスを受ける場合は、サービスを複数選択することができる。「決定」ボタンをクリックすると、選択されたサービスが利用されたものとして記録される。利用可能なアーム数を確認する場合は、「アーム表示」ボタンをクリックすると、アーム数が表示され、「情報表示」ボタンをクリックすると、利用情報が表示される（図１２Ｂ参照）。なお、予定時間を過ぎても利用されないサービスがある場合はオレンジ色で表示し、警告することができるようにする。また、注意事項の入力については、利用者受付後、当日の注意事項を確認できるようにするのがよい。既往症などはマスター登録して毎回同じ表示を行うのがよい。また、施設内で利用者に異変が発生した場合、事務所又は利用窓口で追記入できるのが好ましい。そして、注意事項は利用者には見えないようにし、キーボードによる、暗証コマンドを利用するようにするのがよい。
【００１９】
利用窓口での情報はハブを介して管理サーバーに、そして退館専用機に伝送される。したがって、退館カウンターで身分証のバーコードを読み取ると、図１３Ａに示すように、利用者の名前、入館時間、退館時間（現在の時間）、利用者の施設利用総合時間が表示される。すべてが利用済の場合は、「退館」ボタンをクリックして退館するが、利用者の送迎車番号や帰りの時間場所などが表示され、スタッフに確認され、案内誘導が行われる。また、退館を行う際、図１３Ｂに示す「ご家族連絡シート」がプリントされ、利用されていないサービスがある場合は、利用されていない旨のメッセージを表示する。利用されていない理由は確認され、今後の対策検討事項とする。
【００２０】
全ての利用状況は図１１に示すように、ハブを介してサーバー及び事務所情報管理機に転送され、日報及び月報がプリントされるようになっている。
【００２１】
以上の受付処理業務、利用窓口業務及び退館処理業務の日常業務をブロック図として表示すると、図１０の通りである。これにより介護対象者が自分で作成した自立介護支援プログラムにより適正な介護を受けることができるようになる。
【符号の説明】
【００２２】
１  受付コンピュータ
１０  操作画面
１１  利用者欄、１２  本日スケジュール欄、１３  プログラム欄
【図１】
2015153215.tif 000003
【図２】
2015153215.tif 000004
【図３】
2015153215.tif 000005
【図４】
2015153215.tif 000006
【図５】
2015153215.tif 000007
【図６】
2015153215.tif 000008
【図７】
2015153215.tif 000009
【図８】
2015153215.tif 000010
【図９】
2015153215.tif 000011
【図１０】
2015153215.tif 000012
【図１１】
2015153215.tif 000013
【図１２】
2015153215.tif 000014
【図１３】
2015153215.tif 000015
【図１４】
2015153215.tif 000016
【図１５】
2015153215.tif 000017